(57)【要約】      （修正有）【課題】高重量のパイプなどでも安全、確実に支持することができ、しかも、パイプの調整も容易にできる施工性の良いパイプ取付構造を提供する。【解決手段】パイプ１０の長手方向に形成された取付部２を、壁面等に固定した取付具２０の挟着片３で挟持するパイプ取付構造において、前記取付具２０は、前記パイプ１０の取付部２の挿入を誘導すると共に、前記取付部２の誘導後には前記パイプ１０の外周面１に当止可能な外方に拡開された誘導部３１を先端に設けた弾性を有する２枚の挟着片３、３と、この２枚の挟着片３、３に挟持される支持片４１の基端に、壁面等に固定する固定部４２を備えた固定具４と、前記２枚の挟着片３、３を締付けて、これら２枚の挟着片３、３及び支持片４１を固着可能な締付具５とよりなる。【選択図】図１
2008163650.tif 000002
【特許請求の範囲】
【請求項１】
パイプの外周面から外方に向けて突設された取付部を長手方向に形成すると共に、前記取付部を弾発的に挟持する挟着片を先端に備えた取付具の基端を、壁面等に固定してなるパイプ取付構造において、
前記取付具は、前記パイプの取付部の挿入を誘導すると共に、前記取付部の誘導後には前記パイプの外周面に当止可能な外方に拡開された誘導部を先端に設けた弾性を有する２枚の挟着片と、
この２枚の挟着片に挟持される支持片の基端に、壁面等に固定する固定部を備えた固定具と、
前記２枚の挟着片を締付けて、これら２枚の挟着片及び支持片を固着可能な締付具とよりなり、
前記挟着片の先端に設けた誘導部間に、前記パイプの取付部を挿入して該パイプを仮支持した後、前記締付具を締付けて前記挟着片の誘導部を前記パイプの外周面に当止させて挟着片にて固定するようにしたことを特徴とするパイプ取付構造。
【請求項２】
請求項１において、
挟着片は、これ自体が弾性を備えたバネ板で形成してなるパイプ取付構造。
【請求項３】
請求項１において、
挟着片は、弾性を備えない板材で形成すると共に、前記板材と固定具の支持片との間にゴム等の弾性部材を介在させて弾性を付与する構造にしてなるパイプ取付構造。
【請求項４】
請求項１〜３の何れかにおいて、
２枚の挟着片及び支持片は、リベット等の連結具で予め緩やかに連結してなるパイプ取付構造。
【発明の詳細な説明】
【技術分野】
【０００１】
本発明は、パイプの外周面から外方に向けて突設された取付部を長手方向に形成すると共に、前記取付部を弾発的に挟持する挟着片を先端に備えた取付具の基端を、壁面等に固定してなるパイプ取付構造に関する。
【背景技術】
【０００２】
従来、竪樋等のパイプを壁面等に取付けるためのパイプ取付構造として、前記パイプを環状のリング体で包持すると共に、このリング体の基端を壁面等に固定金具で固定するものが一般に知られている。
【０００３】
ところが、このような取付構造では、施工後のパイプの適所に、前記リング体が点在して外被されてしまうため、住宅のデザイン性を損なうという問題があった。
【０００４】
そこで、このような住宅のデザイン性を確保するため、近年では、施工後のパイプに前記リング体が外被されないように、パイプの背面側の外周面から外方に向けて突設された取付部を長手方向に形成すると共に、前記取付部を弾発的に挟持する挟着片を先端に備えた取付具の基端を、壁面等に固定してなるパイプ取付構造が開発されている（例えば、特許文献１参照。）。
【０００５】
このパイプ取付構造によれば、取付具の基端を壁面等に固定すると共に、この取付具の先端に設けた挟着片を、パイプの背面側に突設した取付部に弾発的に挟持することによって、施工後のパイプの正面側に取付具が見えることがなく、パイプをスッキリとした感じに仕上げて施工することができる。
【特許文献１】特開２０００−３４８１０
【発明の開示】
【発明が解決しようとする課題】
【０００６】
しかしながら、このパイプ取付構造では、施工後のパイプをスッキリとした感じに仕上げることができる点では好ましいが、パイプの背面側に突設した取付部を、取付具の挟着片で弾発的に挟持する構造であるため、パイプの支持力が弱く、例えば、高重量のパイプなどは支持できないという問題に加え、風雨等に晒されるパイプに外的な荷重を受けると、パイプががたついたり、外れたりする危険もあった。
【０００７】
一方、取付部を挟持する挟持片の弾発力が強すぎると、パイプの支持力は高まる反面、一旦挟持したパイプの位置を容易に変更することができないため、パイプを仮支持したり、或いは、パイプの位置を微調整できないという問題が生じる。
【０００８】
本発明は、挟着片でパイプを仮支持した後、締付具を締付ける構造にすることで、高重量のパイプなどでも安全、確実に支持することができ、しかも、パイプの調整も容易にできる施工性の良いパイプ取付構造を提供する。
【課題を解決するための手段】
【０００９】
請求項１に係るパイプ取付構造は、パイプの外周面から外方に向けて突設された取付部を長手方向に形成すると共に、前記取付部を弾発的に挟持する挟着片を先端に備えた取付具の基端を、壁面等に固定してなるパイプ取付構造において、前記取付具は、前記パイプの取付部の挿入を誘導すると共に、前記取付部の誘導後には前記パイプの外周面に当止可能な外方に拡開された誘導部を先端に設けた弾性を有する２枚の挟着片と、この２枚の挟着片に挟持される支持片の基端に、壁面等に固定する固定部を備えた固定具と、  前記２枚の挟着片を締付けて、これら２枚の挟着片及び支持片を固着可能な締付具とよりなり、前記挟着片の先端に設けた誘導部間に、前記パイプの取付部を挿入して該パイプを仮支持した後、前記締付具を締付けて前記挟着片の誘導部を前記パイプの外周面に当止させて挟着片にて固定するようにしたことを特徴とする。
【００１０】
請求項２に係るパイプ取付構造は、請求項１において、挟着片は、これ自体が弾性を備えたバネ板で形成してなる。
【００１１】
請求項３に係るパイプ取付構造は、請求項１において、挟着片は、弾性を備えない板材で形成すると共に、前記板材と固定具の支持片との間にゴム等の弾性部材を介在させて弾性を付与する構造にしてなる。
【００１２】
請求項４に係るパイプ取付構造は、請求項１〜３の何れかにおいて、２枚の挟着片及び支持片は、リベット等の連結具で予め緩やかに連結してなる。
【発明の効果】
【００１３】
本発明によれば、次のような効果がある。
【００１４】
請求項１に係るパイプ取付構造によれば、挟着片でパイプを仮支持した後、締付具を締付ける構造であるため、パイプの位置調整を容易に行うことができるうえ、締付具を締付けて挟着片の誘導部をパイプの外周面に当接させてパイプのがたつきを防止しつつ挟着片にて固定してパイプを確実に支持するため、高重量のパイプなどでも安全、確実に支持することができ、施工後のパイプががたついたり、外れたりする危険も確実に防止できる。
【００１５】
請求項２に係るパイプ取付構造によれば、挟着片が弾性を備えたバネ板で形成してなるため、部品数を最小限にすることができ、施工性をより高めることができる。
【００１６】
請求項３に係るパイプ取付構造によれば、挟着片は、弾性を備えない板材で形成すると共に、前記板材と固定具の支持片との間にゴム等の弾性部材を介在させて弾性を付与する構造にしてなるため、弾性を備えた挟着片でパイプを仮支持して位置等を調整した後、締付具による締付後には、挟着片は、弾性が除去された硬質板となるため、高重量のパイプをより確実に支持できる。
【００１７】
請求項４に係るパイプ取付構造によれば、２枚の挟着片及び支持片は、リベット等の連結具で予め緩やかに連結して一体化されているので、２枚の挟着片及び支持片が外れ落ちることなく、施工性を更に高めることができる。
【発明を実施するための最良の形態】
【００１８】
以下、本発明に係るパイプ取付構造を図面とともに説明する。
【実施例１】
【００１９】
図１は、本発明に係るパイプ取付構造Ａの一実施例を示した要部の分解斜視図であり、図２（ａ）〜（ｃ）は、図１で示したパイプ取付構造Ａの要部を横断した状態の施工手順図である。
【００２０】
なお、図１、図２の共通する部材には、同一の符号を付し、重複する説明は省略する。
【００２１】
このパイプ取付構造Ａは、パイプ１０と取付具２０とより構成してなり、パイプ１０は、外周面１の背面側から外方に向けて突設された取付部２を長手方向に形成している。
【００２２】
本実施例のパイプ１０は、円筒状に形成すると共に、この外周面１の背面側に断面三角状の取付部２を一体形成したものを例示しているが、パイプ１０の形状としては、図例のものに限定されず、例えば、角筒状に形成したもの、三角筒状に形成したものでも構わない。
【００２３】
また、取付部２の形状についても図例のものに限定されず、例えば、断面四角状のものや、多角状に形成することも可能であり、この取付部２を取付具２０によって挟着できる形状であれば採用できる。
【００２４】
取付具２０は、パイプ１０の取付部２の挿入を誘導すると共に、取付部２の誘導後にはパイプ１０の外周面に当止可能な外方に拡開された誘導部３１を先端に設けた弾性を有する２枚の挟着片３、３と、
この２枚の挟着片３、３に挟持される支持片４１の基端に、壁面等に固定する固定部４２を備えた固定具４と、
２枚の挟着片３、３を締付けて、これら２枚の挟着片３、３及び支持片４１を固着可能な締付具５と、より構成してなる。
【００２５】
２枚の挟着片３、３は、これ自体が弾性を備えたバネ板で形成され、その基板３２の先端側を、一旦外側に向けて湾曲させた円弧部３３を形成すると共に、更に先端を拡開させて誘導部３１を形成している。
【００２６】
また、挟着片３、３の他の実施例として、これ自体が弾性を備えない板材で形成すると共に、前記板材と支持片４１との間にゴム等の弾性部材（不図示）を介在させて弾性を付与することも可能である。
【００２７】
なお、円弧部３３の形状は、パイプ１０に突設された取付部２の形状に応じて形成され、要は、取付部２を挟着できる形状であれば良い。
【００２８】
また、円弧部３３と誘導部３１の適所には、膨出された補強リブ３４を形成し、部材の強度を高めることが好ましい。
【００２９】
基板３２の略中央には、リベット等の連結具６を貫通させる孔部６１を開設しており、この孔部６１の前、後には、ボルト、ナット等の締付具５を貫通する連結孔３５を開設している。
【００３０】
一方、固定具４は、これら２枚の基板３２に挟持される板状の支持片４１に、前、後方向に長孔４２を開設しており、この支持片４１の基端に、壁面等に固定する固定部４２を備えてなる。
【００３１】
なお、本実施例の固定部４２は、壁面等に埋設して固定されるボルト軸を例示しているが、この固定部４２は、固定具４を壁面等に確実に固定できるものであれば良く、例えば、ボルト、ナットや、ネジ等による固定手段、釘等による固定手段であっても構わない。
【００３２】
このように形成した支持片４１は、２枚の挟着片３で挟持し、これら２枚の挟着片３及び支持片４１は、リベット等の連結具６で予め緩やかに連結してなる。
【００３３】
そのため、２枚の挟着片３及び支持片４１は、連結具６で一体化されるため、これら２枚の挟着片３及び支持片４１が外れ落ちることなく、作業現場等で一々取付ける手間を不要にして、施工性を高めることができる。
【００３４】
また、２枚の挟着片３及び支持片４１は、連結具６で緩やかに連結しているため、挟着片３の先端に形成した誘導部３１に、所謂、遊びを付与することができる。
【００３５】
そのため、この遊びの範囲内において誘導部３１を開放することができ、パイプ１０の取付部２を容易に挟着することができる。
【００３６】
このように構成した本発明に係るパイプ取付構造Ａは、図２の要領で施工する。
【００３７】
先ず、壁面等の適所にアンカー等を埋設し、このアンカー等に取付具４の固定部４２を螺合して、複数の固定具４を所定間隔で壁面等に固定する〔（図２（ａ）参照。〕。
【００３８】
次に、この固定した固定具４に一体化された挟着片３、３の先端の誘導部３１、３１間に、パイプ１０の取付部２を圧入して挿入すれば、この誘導部３１、３１が、弾性力に抗して外側に開放すると共に、パイプ１０の取付部２を嵌め込んだ後、誘導部３１、３１の弾性復元力によって、パイプ１０の取付部２を挟着片３、３で仮支持する〔（図２（ｂ）参照。〕。
【００３９】
そして、この仮支持した状態で、パイプ１０を長手方向に移動させて所望の位置に調整
する。
【００４０】
最後に、挟着片３、３の一方から連結孔３５に向けてボルト等の締付具５を挿通し、支持片４１の長孔４２を通じて、他方の連結孔３５に貫通すると共に、ナット等の締付具５で締付ける。
【００４１】
この締付具５の締付けによって、パイプ１０の取付部２は、２枚の挟着片３、３に確実に挟持して固定され、しかも、挟着片３、３の先端に設けた誘導部３１が、パイプ１０の外周面１に当止され、パイプ１０の後方への移動を確実に規制してパイプ１０のがたつきを防止すると共に、挟着片３、３の湾曲部３３が、パイプ１０の取付部２に当止し、パイプ１０の前方への移動を確実に規制するのである〔（図２（ｃ）参照。〕。
【００４２】
このように、本発明に係るパイプ取付構造Ａによれば、挟着片３、３でパイプ１０を仮支持した後、締付具５を締付ける構造にしているため、パイプ１０の位置調整を容易に行うことができるうえ、締付具５を締付けてパイプ１０を確実に支持することができる。
【００４３】
そのため、高重量のパイプ１０などでも安全、確実に支持することができ、施工後のパイプ１０が、がたついたり、外れたりする危険も確実に防止できる。
【図面の簡単な説明】
【００４４】
【図１】本発明に係るパイプ取付構造Ａの一実施例を示した要部の分解斜視図である。
【図２】（ａ）〜（ｃ）は、図１で示したパイプ取付構造Ａの要部を横断した状態の施工手順図である。
【符号の説明】
【００４５】
Ａ    パイプ取付構造
１０  パイプ
１    外周面
２    取付部
２０  取付具
３    挟着片
３１  誘導部
４    固定具
４１  支持片
４２  固定部
５    締付具
６    連結具
【図１】
2008163650.tif 000003
【図２】
2008163650.tif 000004
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
パイプの外周面から外方に向けて突設された取付部を長手方向に形成すると共に、前記取付部を弾発的に挟持する挟着片を先端に備えた取付具の基端を、壁面等に固定してなるパイプ取付構造において、
前記取付具は、前記パイプの取付部の挿入を誘導すると共に、前記取付部の誘導後には前記パイプの外周面に当止可能な外方に拡開された誘導部を先端に設けた弾性を有する２枚の挟着片と、
この２枚の挟着片に挟持される支持片の基端に、壁面等に固定する固定部を備えた固定具と、
前記２枚の挟着片を締付けて、これら２枚の挟着片及び支持片を固着可能な締付具とよりなり、
前記２枚の挟着片及び支持片は、リベット等の連結具で予め緩やかに連結しており、前記挟着片の先端に設けた誘導部間に、前記パイプの取付部を挿入して該パイプを仮支持した後、前記締付具を締付けて前記挟着片の誘導部を前記パイプの外周面に当止させて挟着片にて固定するようにしたことを特徴とするパイプ取付構造。
【請求項２】
請求項１において、
挟着片は、これ自体が弾性を備えたバネ板で形成してなるパイプ取付構造。
【請求項３】
請求項１において、
挟着片は、弾性を備えない板材で形成すると共に、前記板材と固定具の支持片との間にゴム等の弾性部材を介在させて弾性を付与する構造にしてなるパイプ取付構造。
【手続補正２】
【補正対象書類名】明細書
【補正対象項目名】全文
【補正方法】変更
【補正の内容】
【発明の詳細な説明】
【技術分野】
【０００１】
本発明は、パイプの外周面から外方に向けて突設された取付部を長手方向に形成すると共に、前記取付部を弾発的に挟持する挟着片を先端に備えた取付具の基端を、壁面等に固定してなるパイプ取付構造に関する。
【背景技術】
【０００２】
従来、竪樋等のパイプを壁面等に取付けるためのパイプ取付構造として、前記パイプを環状のリング体で包持すると共に、このリング体の基端を壁面等に固定金具で固定するものが一般に知られている。
【０００３】
ところが、このような取付構造では、施工後のパイプの適所に、前記リング体が点在して外被されてしまうため、住宅のデザイン性を損なうという問題があった。
【０００４】
そこで、このような住宅のデザイン性を確保するため、近年では、施工後のパイプに前記リング体が外被されないように、パイプの背面側の外周面から外方に向けて突設された取付部を長手方向に形成すると共に、前記取付部を弾発的に挟持する挟着片を先端に備えた取付具の基端を、壁面等に固定してなるパイプ取付構造が開発されている（例えば、特許文献１参照。）。
【０００５】
このパイプ取付構造によれば、取付具の基端を壁面等に固定すると共に、この取付具の先端に設けた挟着片を、パイプの背面側に突設した取付部に弾発的に挟持することによって、施工後のパイプの正面側に取付具が見えることがなく、パイプをスッキリとした感じに仕上げて施工することができる。
【特許文献１】特開２０００−３４８１０
【発明の開示】
【発明が解決しようとする課題】
【０００６】
しかしながら、このパイプ取付構造では、施工後のパイプをスッキリとした感じに仕上げることができる点では好ましいが、パイプの背面側に突設した取付部を、取付具の挟着片で弾発的に挟持する構造であるため、パイプの支持力が弱く、例えば、高重量のパイプなどは支持できないという問題に加え、風雨等に晒されるパイプに外的な荷重を受けると、パイプががたついたり、外れたりする危険もあった。
【０００７】
一方、取付部を挟持する挟持片の弾発力が強すぎると、パイプの支持力は高まる反面、一旦挟持したパイプの位置を容易に変更することができないため、パイプを仮支持したり、或いは、パイプの位置を微調整できないという問題が生じる。
【０００８】
本発明は、挟着片でパイプを仮支持した後、締付具を締付ける構造にすることで、高重量のパイプなどでも安全、確実に支持することができ、しかも、パイプの調整も容易にできる施工性の良いパイプ取付構造を提供する。
【課題を解決するための手段】
【０００９】
請求項１に係るパイプ取付構造は、パイプの外周面から外方に向けて突設された取付部を長手方向に形成すると共に、前記取付部を弾発的に挟持する挟着片を先端に備えた取付具の基端を、壁面等に固定してなるパイプ取付構造において、前記取付具は、前記パイプの取付部の挿入を誘導すると共に、前記取付部の誘導後には前記パイプの外周面に当止可能な外方に拡開された誘導部を先端に設けた弾性を有する２枚の挟着片と、この２枚の挟着片に挟持される支持片の基端に、壁面等に固定する固定部を備えた固定具と、  前記２枚の挟着片を締付けて、これら２枚の挟着片及び支持片を固着可能な締付具とよりなり、前記２枚の挟着片及び支持片は、リベット等の連結具で予め緩やかに連結しており、前記挟着片の先端に設けた誘導部間に、前記パイプの取付部を挿入して該パイプを仮支持した後、前記締付具を締付けて前記挟着片の誘導部を前記パイプの外周面に当止させて挟着片にて固定するようにしたことを特徴とする。
【００１０】
請求項２に係るパイプ取付構造は、請求項１において、挟着片は、これ自体が弾性を備えたバネ板で形成してなる。
【００１１】
請求項３に係るパイプ取付構造は、請求項１において、挟着片は、弾性を備えない板材で形成すると共に、前記板材と固定具の支持片との間にゴム等の弾性部材を介在させて弾性を付与する構造にしてなる。
【発明の効果】
【００１２】
本発明によれば、次のような効果がある。
【００１３】
請求項１に係るパイプ取付構造によれば、挟着片でパイプを仮支持した後、締付具を締付ける構造であるため、パイプの位置調整を容易に行うことができるうえ、締付具を締付けて挟着片の誘導部をパイプの外周面に当接させてパイプのがたつきを防止しつつ挟着片にて固定してパイプを確実に支持するため、高重量のパイプなどでも安全、確実に支持することができ、施工後のパイプががたついたり、外れたりする危険も確実に防止できる。
【００１４】
又、２枚の挟着片及び支持片は、リベット等の連結具で予め緩やかに連結して一体化されているので、２枚の挟着片及び支持片が外れ落ちることなく、施工性を更に高めることができる。
【００１５】
請求項２に係るパイプ取付構造によれば、挟着片が弾性を備えたバネ板で形成してなるため、部品数を最小限にすることができ、施工性をより高めることができる。
【００１６】
請求項３に係るパイプ取付構造によれば、挟着片は、弾性を備えない板材で形成すると共に、前記板材と固定具の支持片との間にゴム等の弾性部材を介在させて弾性を付与する構造にしてなるため、弾性を備えた挟着片でパイプを仮支持して位置等を調整した後、締付具による締付後には、挟着片は、弾性が除去された硬質板となるため、高重量のパイプをより確実に支持できる。
【発明を実施するための最良の形態】
【００１７】
以下、本発明に係るパイプ取付構造を図面とともに説明する。
【実施例１】
【００１８】
図１は、本発明に係るパイプ取付構造Ａの一実施例を示した要部の分解斜視図であり、図２（ａ）〜（ｃ）は、図１で示したパイプ取付構造Ａの要部を横断した状態の施工手順図である。
【００１９】
なお、図１、図２の共通する部材には、同一の符号を付し、重複する説明は省略する。
【００２０】
このパイプ取付構造Ａは、パイプ１０と取付具２０とより構成してなり、パイプ１０は、外周面１の背面側から外方に向けて突設された取付部２を長手方向に形成している。
【００２１】
本実施例のパイプ１０は、円筒状に形成すると共に、この外周面１の背面側に断面三角状の取付部２を一体形成したものを例示しているが、パイプ１０の形状としては、図例のものに限定されず、例えば、角筒状に形成したもの、三角筒状に形成したものでも構わない。
【００２２】
また、取付部２の形状についても図例のものに限定されず、例えば、断面四角状のものや、多角状に形成することも可能であり、この取付部２を取付具２０によって挟着できる形状であれば採用できる。
【００２３】
取付具２０は、パイプ１０の取付部２の挿入を誘導すると共に、取付部２の誘導後にはパイプ１０の外周面に当止可能な外方に拡開された誘導部３１を先端に設けた弾性を有する２枚の挟着片３、３と、
この２枚の挟着片３、３に挟持される支持片４１の基端に、壁面等に固定する固定部４２を備えた固定具４と、
２枚の挟着片３、３を締付けて、これら２枚の挟着片３、３及び支持片４１を固着可能な締付具５と、より構成してなる。
【００２４】
２枚の挟着片３、３は、これ自体が弾性を備えたバネ板で形成され、その基板３２の先端側を、一旦外側に向けて湾曲させた円弧部３３を形成すると共に、更に先端を拡開させて誘導部３１を形成している。
【００２５】
また、挟着片３、３の他の実施例として、これ自体が弾性を備えない板材で形成すると共に、前記板材と支持片４１との間にゴム等の弾性部材（不図示）を介在させて弾性を付与することも可能である。
【００２６】
なお、円弧部３３の形状は、パイプ１０に突設された取付部２の形状に応じて形成され、要は、取付部２を挟着できる形状であれば良い。
【００２７】
また、円弧部３３と誘導部３１の適所には、膨出された補強リブ３４を形成し、部材の強度を高めることが好ましい。
【００２８】
基板３２の略中央には、リベット等の連結具６を貫通させる孔部６１を開設しており、この孔部６１の前、後には、ボルト、ナット等の締付具５を貫通する連結孔３５を開設している。
【００２９】
一方、固定具４は、これら２枚の基板３２に挟持される板状の支持片４１に、前、後方向に長孔４２を開設しており、この支持片４１の基端に、壁面等に固定する固定部４２を備えてなる。
【００３０】
なお、本実施例の固定部４２は、壁面等に埋設して固定されるボルト軸を例示しているが、この固定部４２は、固定具４を壁面等に確実に固定できるものであれば良く、例えば、ボルト、ナットや、ネジ等による固定手段、釘等による固定手段であっても構わない。
【００３１】
このように形成した支持片４１は、２枚の挟着片３で挟持し、これら２枚の挟着片３及び支持片４１は、リベット等の連結具６で予め緩やかに連結してなる。
【００３２】
そのため、２枚の挟着片３及び支持片４１は、連結具６で一体化されるため、これら２枚の挟着片３及び支持片４１が外れ落ちることなく、作業現場等で一々取付ける手間を不要にして、施工性を高めることができる。
【００３３】
また、２枚の挟着片３及び支持片４１は、連結具６で緩やかに連結しているため、挟着片３の先端に形成した誘導部３１に、所謂、遊びを付与することができる。
【００３４】
そのため、この遊びの範囲内において誘導部３１を開放することができ、パイプ１０の取付部２を容易に挟着することができる。
【００３５】
このように構成した本発明に係るパイプ取付構造Ａは、図２の要領で施工する。
【００３６】
先ず、壁面等の適所にアンカー等を埋設し、このアンカー等に取付具４の固定部４２を螺合して、複数の固定具４を所定間隔で壁面等に固定する〔（図２（ａ）参照。〕。
【００３７】
次に、この固定した固定具４に一体化された挟着片３、３の先端の誘導部３１、３１間に、パイプ１０の取付部２を圧入して挿入すれば、この誘導部３１、３１が、弾性力に抗して外側に開放すると共に、パイプ１０の取付部２を嵌め込んだ後、誘導部３１、３１の弾性復元力によって、パイプ１０の取付部２を挟着片３、３で仮支持する〔（図２（ｂ）参照。〕。
【００３８】
そして、この仮支持した状態で、パイプ１０を長手方向に移動させて所望の位置に調整
する。
【００３９】
最後に、挟着片３、３の一方から連結孔３５に向けてボルト等の締付具５を挿通し、支持片４１の長孔４２を通じて、他方の連結孔３５に貫通すると共に、ナット等の締付具５で締付ける。
【００４０】
この締付具５の締付けによって、パイプ１０の取付部２は、２枚の挟着片３、３に確実に挟持して固定され、しかも、挟着片３、３の先端に設けた誘導部３１が、パイプ１０の外周面１に当止され、パイプ１０の後方への移動を確実に規制してパイプ１０のがたつきを防止すると共に、挟着片３、３の湾曲部３３が、パイプ１０の取付部２に当止し、パイプ１０の前方への移動を確実に規制するのである〔（図２（ｃ）参照。〕。
【００４１】
このように、本発明に係るパイプ取付構造Ａによれば、挟着片３、３でパイプ１０を仮支持した後、締付具５を締付ける構造にしているため、パイプ１０の位置調整を容易に行うことができるうえ、締付具５を締付けてパイプ１０を確実に支持することができる。
【００４２】
そのため、高重量のパイプ１０などでも安全、確実に支持することができ、施工後のパイプ１０が、がたついたり、外れたりする危険も確実に防止できる。
【図面の簡単な説明】
【００４３】
【図１】本発明に係るパイプ取付構造Ａの一実施例を示した要部の分解斜視図である。
【図２】（ａ）〜（ｃ）は、図１で示したパイプ取付構造Ａの要部を横断した状態の施工手順図である。
【符号の説明】
【００４４】
Ａ    パイプ取付構造
１０  パイプ
１    外周面
２    取付部
２０  取付具
３    挟着片
３１  誘導部
４    固定具
４１  支持片
４２  固定部
５    締付具
６    連結具